(57)【要約】【課題】  流体が通過する流路が形成された吐水具を備え、流路の先端に設けられた吐水口から流体が吐水される水栓において、その流量が適正なものであるかどうかを使用者が容易に判断でき、しかも簡略な構造の水栓を提供する【解決手段】  流体が通過する流路１３が形成された吐水具１１を備え、流路１３の先端に設けられた吐水口１２から流体が吐水される水栓３において、前記吐水具１１は表示窓１９と、この表示窓１９の内側に設けられ前記流路１３と連通するバイパス流路１４とを備え、バイパス流路１４には通過する流体の流量に応じて移動する表示体１７が設けられ、表示窓１９を通して表示体１７が表示されることで、吐水口１２から吐水される流体が適正流量であることを表示されるようにした。【選択図】図４
2008297758.tif 000002
【特許請求の範囲】
【請求項１】
流体が通過する流路が形成された吐水具を備え、流路の先端に設けられた吐水口から流体が吐水される水栓において、前記吐水具は表示窓と、この表示窓の内側に設けられ前記流路と連通するバイパス流路とを備え、バイパス流路には通過する流体の流量に応じて移動する表示体が設けられ、表示窓を通して表示体が表示されることで、吐水口から吐水される流体が適正流量であることを表示されるようにしたことを特徴とする水栓。
【請求項２】
前記表示体は複数色の表示片を備え、吐水口から吐水される流体の流量の変化に応じて表示窓を通して表示される表示片の色が異なるようにしたことを特徴とする請求項１記載の水栓。
【発明の詳細な説明】
【技術分野】
【０００１】
本発明は、吐水口から吐水される流体の流量を適正流量とするための表示体が設けられた水栓に関する。
【背景技術】
【０００２】
従来、レバーやハンドル等の操作部を使用者が操作することで流体を吐水口から吐水する水栓は、操作部を必要以上に止水位置から吐水方向に操作して、適正な流量以上の流体を吐水させてしまう場合があり、無駄な流体を吐水してしまう傾向があった。そこで、操作部の操作により流体が吐水口から吐水される水栓において、その吐水される流体の流量が適正なものであるかどうかを表示する表示部を備え、使用者はこの表示部を目視することで、流体の吐水量が適正であるか否かを判断できるようにしたものとして特許文献１がある。この特許文献１では、シャワー吐水口にシャワー水を供給する流路の途中に、任意に調節可能な流量調節弁を備えるシャワー装置において、流量が適正であるかどうかを表示する表示部と、流量調節弁とシャワー吐水口との間の流路に設けられる水量センサーと、水量センサーの検出値と予め設定された適正流量とを比較する比較手段と、比較手段の比較結果に基づいて表示部の表示を制御する表示制御部とを備えることを特徴とするシャワー装置である。
【０００３】
【特許文献１】実用新案登録第２５６５５７６号公報
【発明の開示】
【発明が解決しようとする課題】
【０００４】
特許文献１のシャワー装置においては、流体が吐水されると表示部の表示により湯水の吐水量が表示されるが、表示部はシャワー吐水口に設けられていないため、表示部の表示を目視するためには、常時表示部の近くにいる必要があり、使い勝手が悪く、しかも流量センサー、表示制御部などを使用し、電源を必要とするため高価となり、実用的でなかった。
【０００５】
本発明は、このような従来の技術に存在する問題点に着目してなされたものであり、その目的は、流体が通過する流路が形成された吐水具を備え、流路の先端に設けられた吐水口から流体が吐水される水栓において、その流量が適正なものであるかどうかを使用者が容易に判断でき、しかも簡略な構造の水栓を提供することにある。
【課題を解決するための手段】
【０００６】
上記目的を達成するため、請求項１に記載の発明は、流体が通過する流路が形成された吐水具を備え、流路の先端に設けられた吐水口から流体が吐水される水栓において、前記吐水具は表示窓と、この表示窓の内側に設けられ前記流路と連通するバイパス流路とを備え、バイパス流路には通過する流体の流量に応じて移動する表示体が設けられ、表示窓を通して表示体が表示されることで、吐水口から吐水される流体の流量が表示されるようにしたものである。
【０００７】
請求項２では請求項１記載の発明による水栓において、前記表示体は複数色の表示片を備え、吐水口から吐水される流体の流量の変化に応じて表示窓を通して表示される表示片の色が異なるようにしたものある。
【発明の効果】
【０００８】
本発明の請求項１の水栓は、吐水口から吐水される流体の流量が適正であるか否かを判断するための表示体と表示窓とは簡略な構造で、吐水具に設けられているため、目視が容易であり、使い勝手が大幅に向上する。
【０００９】
請求項２の水栓は、吐水口から吐水される流体の流量が変化すると、表示窓から目視される表示片の色が異なり、この表示片の色の変化により流体の流量変化を容易に確認することができる。
【発明を実施するための最良の形態】
【００１０】
以下、本発明を具体化した実施例を図に基づいて詳細に説明する。
【実施例】
【００１１】
本発明の水栓３は図１に示すように、水栓本体４の下部に突出して形成された接続筒５を水栓本体４より小径にして、流し台又は洗面化粧台のカウンター１に穿設された取付孔２に挿通し、カウンター１の下部からナット６を接続筒５に螺着することで水栓本体４をカウンター１に起立した状態で固定されている。
【００１２】
前記水栓本体４の内部には固定板と可動板とを上下に重ね合わせた混合弁７が収容されており、この混合弁７と連繋したレバー８を上下及び左右に操作することで、湯、水、又は湯水の何れかの流体の吐水流量及び吐水温度が調節される。
【００１３】
水栓本体４の接続筒５と混合弁７の間の外周にはホルダー９が回転可能に装着されており、このホルダー９にはホース１０の先端に結合した吐水具１１が引出し自在に支持され、吐水具１１はホルダー９に支持された状態、又はホルダー９からホース１０と共に引出して使用される。従って、レバー８を吐水方向へ操作すれば、混合弁７により流量調節及び温度調節がされた湯水は、混合弁７と接続されたホース１０へ供給され、吐水具１１の先端に設けられた吐水口１２からこの湯水を吐水可能となっている。
【００１４】
図３に示すように、前記吐水具１１にはホース１０から供給される流体が通過する流路１３を備えており、この流路１３には通過する流体の一部が分岐されるバイパス流路１４が形成されている。このバイパス流路１４には移動体１５が摺動自在に収容されており、移動体１５は略円筒形で中央にはバイパス流路１４の一次室１４ａと二次室１４ｂとを連通する貫通孔１６が形成され、その前後方向の略中間部には表示体１７が設けられている。この移動体１５はバイパス流路１４の一次室１４ａに収容された第１スプリング１８ａと、二次室１４ｂに収容された第２スプリング１８ｂとにより、バイパス流路１４内を移動自在に付勢されている。
【００１５】
前記表示体１７は吐水口１２から吐水される流体の流量を表示するものであり、本実施例では表示体１７を流体の通水方向に沿って順に３色塗装し、バイパス流路１４の一次室１４ａから二次室１４ｂに向けて順に、赤色に着色された流量過多を示す大流量表示片１７ａ、緑色に着色された適正流量を示す適正流量表示片１７ｂ、白色に着色された流量過小を示す小流量表示片１７ｃが設けられている。
【００１６】
図２乃至図５に示すように、吐水具１１の上面には表示体１７と向かい合わせて表示窓１９を備え、図４及び図５に示すようにバイパス流路１４を通過する流体の流量が増加するにつれて、表示窓１９の内側のバイパス流路１４に設けられている表示体１７は第２スプリング１８ｂの付勢力に抗して右方向に摺動する。なお、第１スプリング１８ａと第２スプリング１８ｂとの付勢力は、吐水口１２から吐水される流体の流量が適正流量である場合に適正流量表示片１７ｂが表示窓１９と上下に重なり合うように設定されている。
【００１７】
本発明の水栓３において、レバー８が止水位置では湯水は吐水具１１の流路１３を通過しないため、図３に示すように、バイパス流路１４の二次室１４ｂに収容されている第２スプリング１８ｂが、一次室１４ａに収容されている第１スプリング１８ａよりその付勢力が強く、移動体１５は二次室１４ｂから一次室１４ｃに向けて左方向に付勢された状態であり、表示窓１９から表示体１７の白色に着色された小流量表示片１７ｃが表示され、使用者はこの小流量表示片１７ｃを目視することができる。
【００１８】
次に水栓３のレバー８を止水位置から吐水位置へ操作すると、混合弁７で温度調節及び流量調節された流体は、吐水具１１の流路１３を通過して吐水口１２から吐水される。この場合、図４に示すようにバイパス流路１４に収容されている移動体１５は一次室１４ａからの圧力水が加わり、二次室１４ｂに収容されている第２スプリング１８ｂの付勢力に抗して右方向に移動するため、吐水口１２から吐水される流体の流量が適正であれば、表示窓１９から表示体１７の緑色に着色された適性流量表示片１７ｂが表示され、使用者はこの適性流量表示片１７ｂを目視することができる。従って、使用者は表示窓１９を通して緑色の適正流量表示片１７ｂを目視することで、レバー８の位置が適正な流量の流体を吐水する位置であることを認識することができる。
【００１９】
そして、さらに水栓３のレバー８を止水位置から吐水位置へ操作すると、混合弁７で温度調節及び流量調節された流体は、吐水具１１の流路１３を通過して吐水口１２から吐水される。この場合、図５に示すようにバイパス流路１４に収容されている移動体１５は一次室１４ａからの強い圧力水が加わり、二次室１４ｂに収容されている第２スプリング１８ｂの付勢力に抗して移動するため、その流量は適正流量より過剰となり、使用者は表示窓１９から赤色に着色された大流量表示体１７ａを目視することができる。従って、使用者はこのレバー８の位置は過剰な流量の流体を吐水する位置であることを認識することができる。
【００２０】
以上のように、本発明の水栓では、使用者は吐水具の表示窓を通して表示体を目視することにより、吐水口から吐水される流体の流量が適正であるか否かを容易に判断することができ、表示体は吐水具に設けられているため目視が容易であり、使い勝手が大幅に向上する。
【００２１】
なお、本実施例ではホルダーに支持された吐水具に表示体と表示窓とを設けた水栓について説明をしたが、吐水具に表示体と表示窓とが設けられていれば水栓のタイプは限定されるものではなく、例えば水栓本体と吐水具とが離れた位置に設けられている水栓にも適用できる。
【図面の簡単な説明】
【００２２】
【図１】本発明の水栓がカウンターに固定された状態の説明図である。
【図２】本発明の水栓において、吐水具の平面図である。
【図３】本発明の水栓において、吐水具の止水状態の説明図である。
【図４】本発明の水栓において、吐水具の適量吐水状態の説明図である。
【図５】本発明の水栓において、吐水具の大流量吐水状態の説明図である。
【符号の説明】
【００２３】
３      ：水栓
１１    ：吐水具
１２    ：吐水口
１３    ：流路
１４    ：バイパス流路
１７    ：表示体
１７ａ  ：大流量表示片
１７ｂ  ：適正流量表示片
１７ｃ  ：小流量表示片
１９    ：表示窓
【図１】
2008297758.tif 000003
【図２】
2008297758.tif 000004
【図３】
2008297758.tif 000005
【図４】
2008297758.tif 000006
【図５】
2008297758.tif 000007